(57)【要約】【課題】耐張がいし装置の全長を短くし、緊線作業が容易にでき、ヨークにホーンを容易に取り付けることができるようにする。【解決手段】ヨークは、（ａ）両側に送電線側連結金具取付孔を有する上ヨーク部と、両側にがいし連側連結金具取付孔を有する水平板状の中ヨーク部と、両側に送電線側連結金具取付孔を有する下ヨーク部とを有する。（ｂ）上ヨーク部は、中ヨーク部の幅の中央から上方にほぼＶ字形に延び、かつ、先端が互いに反対方向に水平に延び、かつ、Ｖ字形の底部において中ヨーク部の幅の中央の上面に接合され、（ｃ）下ヨーク部と中ヨーク部とは、それらの幅の中央において垂直連結部により接合されている。（ｄ）中ヨーク部又は垂直連結部にホーン取付部が一体に設けられている。【選択図】図２
2006202776.tif 000002
【特許請求の範囲】
【請求項１】
鉄塔に支持されるがいし連と、そのがいし連にがいし連側連結金具を介して連結されるヨークと、そのヨークに送電線側連結金具を介して接続され、送電線を引留める耐張クランプとを有する耐張がいし装置において、
前記ヨークは、前記送電線の線路方向に対して直角方向の両側に送電線側連結金具を取付けるための送電線側連結金具取付孔を有する上ヨーク部と、前記送電線の線路方向に対して直角方向の両側にがいし連側連結金具を取付けるためのがいし連側連結金具取付孔を有する水平板状の中ヨーク部と、前記送電線の線路方向に対して直角方向の両側に送電線側連結金具を取付けるための送電線側連結金具取付孔を有する下ヨーク部とを有し、
前記上ヨーク部は、前記送電線の線路方向に対して直角方向の幅の中央から上方にほぼＶ字形に延び、かつ、先端が互いに反対方向に水平に延びるものであり、かつ、前記Ｖ字形の底部において前記中ヨーク部の前記送電線の線路方向に対して直角方向の幅の中央の上面に接合され、
前記下ヨーク部と前記中ヨーク部とは、それらの前記送電線の線路方向に対して直角方向の幅の中央において垂直連結部により接合され、
前記中ヨーク部又は前記垂直連結部にアークホーン取付部が一体に設けられている、
ことを特徴とする耐張がいし装置。
【請求項２】
ヨークの垂直連結部のがいし連側の面にジャンパ装置取付部が一体に設けられていることを特徴とする請求項１に記載の耐張がいし装置。
【請求項３】
ヨークの上ヨーク部の付け根及び垂直連結部は、上ヨーク部、中ヨーク部及び下ヨーク部のそれぞれの肉厚よりも厚肉に形成されていることを特徴とする請求項１又は２に記載の耐張がいし装置。
【発明の詳細な説明】
【技術分野】
【０００１】
本発明は、鉄塔に送電線を支持するための耐張がいし装置に関する。
【背景技術】
【０００２】
図５及び図６は、鉄塔に４導体を支持する従来の２種類の耐張がいし装置の一例を示す図である。図５は送電線７に耐張クランプ６及び連結金具５を介して連結されるヨーク（以下、ライン側ヨークという。）４Ａが固定ヨークである場合のものであり、同図（ａ）はその耐張がいし装置の平面図、（ｂ）は同じく右側面図である。図６は送電線７に耐張クランプ６及び連結金具５を介して連結されるライン側ヨーク４Ｂが半固定ヨークである場合のものであり、（ａ）は平面図、（ｂ）は右側面図である。
固定ヨークとは、ヨーク本体のがいし連３側の連結金具１０との結合点と、ヨーク本体の送電線７側の連結金具５との結合点の間の距離が一定不変のものをいう。半固定ヨークとは、ヨーク本体に２連ヨークが枢着された回動可能な構造により、ヨーク本体とがいし連側の連結金具との結合点と、２連ヨークと送電線側の連結金具との結合点の間の距離が可変のものをいう。
【０００３】
図５に示す従来の固定ヨークを用いる耐張がいし装置Ａは、鉄塔１に接続されるヨーク（以下、アース側ヨークという。）２と、そのアース側ヨークに一端が結合されたがいし連３と、そのがいし連の他端に連結金具１０を介して連結されたライン側固定ヨーク４Ａと、そのライン側固定ヨークに結合された連結金具５と、その連結金具５に結合された耐張クランプ６とから構成されている。送電線７は、耐張クランプ６により一つの耐張がいし装置Ａに支持される。その固定された送電線７の耐張クランプ６から鉄塔１の方向に延びる部分はジャンパ線８として、鉄塔１を迂回し、その鉄塔の別の位置に取り付けられている他の耐張がいし装置の耐張クランプに締着される。そして、耐張がいし装置Ａのライン側固定ヨーク４Ａには、がいし連の電気的シールドの目的で使用されるアークホーン（以下、単にホーンという。）９と、ジャンパ装置が固定されるが、ホーンはがいし連側の連結金具１０に設けたホーン取付部１０ａにホーン９を取付けている。そして、ジャンパ装置は、固定ヨーク４Ａに設けたリンク１１を用いて取付けられる。
【０００４】
また、図６に示す従来の耐張がいし装置Ｂが用いる半固定ヨーク４Ｂは、がいし連のアース側ヨークと反対側のがいし連側に寄った位置で枢着されたヨーク本体４1 と、そのヨーク本体の両側にそれぞれ枢着された２連ヨーク４2 ，４3 とで構成され、各２連ヨークの両端部に連結金具５がそれぞれ結合されている。このライン側半固定ヨーク４Ｂの場合は、ヨーク本体４1 にホーン９とジャンパ装置（図示せず）が固定されるが、ホーン９はヨーク本体４1 に一体に形成された取付部にボルトナット等の固着具を用いて取付けられ、ジャンパ装置は、ヨーク本体４1 に設けたリンク１１を用いて取付けられる。
【特許文献１】特になし。
【発明の開示】
【発明が解決しようとする課題】
【０００５】
上述のように、上記従来の固定ヨーク４Ａの場合は、連結金具１０にホーン取付部１０ａを設けたものをヨークから延出するように取付けているから、ホーン取付部を設けるための距離分だけ耐張がいし装置の長さが長くなるという問題があった。
【０００６】
また、上記従来の半固定ヨーク４Ｂの場合は、ホーン９をヨーク本体４1 に直接に取付けるので、がいし連３と半固定ヨーク４Ｂの間の連結金具１０にホーン取付部を設ける必要がないため、耐張がいし装置の長さを短くすることができる。しかし、ヨーク本体４1 と２連ヨーク４2 ，４3 が枢着され、その２連ヨークに連結金具５が結合されているため、耐張がいし装置の連結工事において２連ヨークが回動し易いので、連結金具５を２連ヨーク４2 ，４3 に連結する緊線作業は、左右のバランスに注意しながら行う必要があるから容易ではなく、工事作業者に大きな負担となるという問題があった。
【０００７】
他方、支持される送電線の数が３以上用の従来のライン側固定ヨークにおいては、ヨークと送電線側の連結金具との結合点が３次元的に配置されるので、ヨークの形状構造は張力に十分に耐え得るものである必要がある。さらに、耐張がいし装置の全長をできるだけ小さくする要請に応える必要がある。
【０００８】
本発明は、上記の欠点を解決するためになされたものである。すなわち、本発明の課題は、耐張がいし装置の全長をできるだけ短くすること、緊線作業が容易にできるようにすること、そして、ホーンをヨークに容易に取り付けることができるようにすることにある。
【課題を解決するための手段】
【０００９】
上記課題を解決するため、本発明は、鉄塔に支持されるがいし連と、そのがいし連にがいし連側連結金具を介して連結されるヨークと、そのヨークに送電線側連結金具を介して接続され、送電線を引留める耐張クランプとを有する耐張がいし装置において、（ａ）前記ヨークは、前記送電線の線路方向に対して直角方向の両側に送電線側連結金具を取付けるための送電線側連結金具取付孔を有する上ヨーク部と、前記送電線の線路方向に対して直角方向の両側にがいし連側連結金具を取付けるためのがいし連側連結金具取付孔を有する水平板状の中ヨーク部と、前記送電線の線路方向に対して直角方向の両側に送電線側連結金具を取付けるための送電線側連結金具取付孔を有する下ヨーク部とを有し、（ｂ）前記上ヨーク部は、前記送電線の線路方向に対して直角方向の幅の中央から上方にほぼＶ字形に延び、かつ、先端が互いに反対方向に水平に延びるものであり、かつ、Ｖ字形の底部において前記中ヨーク部の前記送電線の線路方向に対して直角方向の幅の中央の上面に接合され、（ｃ）前記下ヨーク部と前記中ヨーク部とは、それらの前記送電線の線路方向に対して直角方向の幅の中央において垂直連結部により接合され、（ｄ）前記中ヨーク部又は前記垂直連結部にホーン取付部が一体に設けられていることを特徴としている（請求項１）。
上記構成により、中ヨーク部の両側にはがいし連側連結金具が結合され、上ヨーク部と下ヨーク部の両側には送電線側連結金具が結合される。また、上ヨーク部と中ヨーク部の間及び中ヨーク部と下ヨーク部の間の開放されている部分から、ホーンがホーン取付部に取り付けられる。
【００１０】
本発明による耐張がいし装置は、垂直連結部のがいし連側の面にジャンパ装置取付部がヨークと一体に設けられていることを特徴としている（請求項２）。
この構成により、ジャンパ装置取付部のヨークに対する接合強度が極めて大きい。
【００１１】
ヨークの垂直連結部は、上ヨーク部、中ヨーク部及び下ヨーク部のそれぞれの肉厚よりも厚肉に形成されていることが好ましい（請求項３）。
送電線からヨークに加わる張力は、上ヨーク部、中ヨーク部及び下ヨーク部を接合している垂直連結部に集中するが、その張力は厚肉に形成されている垂直連結部により負担される。
【発明の効果】
【００１２】
請求項１の発明によれば、次の効果が得られる。すなわち、
第１に、ヨークは、上ヨーク部と中ヨーク部と下ヨーク部と垂直連結部とからほぼ逆天字形に一体に形成されていて、形状が開放された単純構造であるので、製造が容易であり、ヨーク製造コストの低減が可能である。
第２に、ヨークは、垂直連結部又は中ヨーク部にホーン取付部を一体に有して、ホーンがヨークに直接取付られるため、耐張がいし装置の全長が短くなる。
第３に、ヨークはほぼ逆天字形に形成されていて、垂直連結部を境として上ヨーク部と中ヨーク部の間及び下ヨーク部と中ヨーク部の間が送電線の線路方向に対して直角方向に開放されているので、ホーン取付作業の障害物が存在しないため、中ヨーク部又は垂直連結部に設けてあるホーン取付部にホーンを取り付ける作業性が向上し、高所での作業安全性が向上する。また、ホーン形状・構造の自由度が向上する。
第４に、ヨークは、上ヨーク部と中ヨーク部と下ヨーク部と垂直連結部とからほぼ逆天字形に一体に形成されている固定ヨークであるので、緊線作業時は安定性が高く、作業が容易である。また、上ヨーク部はほぼＶ字形であるので、緊線作業時に送電線を先ず上ヨーク部から連結する際に送電線から上ヨーク部に加わる偏重荷重が上ヨーク部のＶ字形の左右両側の斜め部分に分散して負担され、中ヨーク部及び垂直連結部に伝達されるため、その偏重荷重に耐えることができる。また、送電線を支持している通常時は、送電線が風により揺れる際に、ヨークの線路方向を軸とした場合の軸周り方向の回転力（ねじり力）を受けるが、上ヨーク部はほぼＶ字形であるので、そのようなねじり力に耐えうる強度を有する。
【００１３】
請求項２の発明によれば、ジャンパ装置取付部は、垂直連結部のがいし連側の面に一体に成形されているので、従来のヨークにボルトナットなどの固着具により接続される場合に比し、格段に大きな接合強度を有するため、高いジャンパ線支持安定性が得られる。また、ジャンパ装置取付部が垂直連結部のがいし連側の面に設けてあるから、ホーンの取付も容易である。
【００１４】
送電線の張力は上ヨーク部、中ヨーク部及び下ヨーク部を介して上ヨーク部の付け根及び垂直連結部に最も集中し易いが、請求項３の発明によれば、上ヨーク部の付け根及び垂直連結部は、上ヨーク部、中ヨーク部及び下ヨーク部のそれぞれの肉厚よりも厚肉に形成されているので、ほぼ逆天字形の簡単な形状でも十分に張力に耐え得る強度を備えている。
【発明を実施するための最良の形態】
【００１５】
次に、本発明の実施の形態について図１ないし図４の図面を参照しながら説明する。
図１は本発明に係る耐張がいし装置の一例を示す図であり、（ａ）は平面図、（ｂ）は右側面図である。図２は同装置において用いられているライン側固定ヨークの展開図であり、（ａ）は正面図、（ｂ）は平面図、（ｃ）は左側面図である。図３はホーン取付部を図１の例と同様に、水平面に設ける場合の例を示すものであり、（ａ）はヨークのみの正面図、（ｂ）は使用状態における平面図、（ｃ）は（ｂ）の右側面図である。図４はホーン取付部を垂直面に設ける場合の例を示すものであり、（ａ）はヨークのみの正面図、（ｂ）は使用状態における平面図、（ｃ）は（ｂ）の右側面図である。
【００１６】
本明細書においては、相対する２つの鉄塔の間に送電線を張設するための耐張がいし装置に関して、その送電線張設方向つまり自鉄塔から相手鉄塔を臨んだ方向を線路方向と定義し、その線路方向に対して上空側と地面側の方向を上下方向と定義し、線路方向に対して水平直角方向を左右方向と定義する。
【００１７】
図１において、４Ｎは本発明により改良された送電線数４本用のライン側固定ヨークである。この固定ヨーク４Ｎは、図２（ａ）に示すように、中ヨーク部４ｆと、上ヨーク部４ｇと、下ヨーク部４ｈと、垂直連結部４ｉとからなり、全体が、例えば鋳造により、一体に成形されている。
【００１８】
中ヨーク部４ｆは、水平板状に成形されていて、ヨーク４Ｎの高さ方向（図２（ａ）において紙面上下方向）中間位置に設けられている。そして、中ヨーク部４ｆの左右両側に、がいし連に接続された連結金具（以下、がいし連側連結金具という。）１０を取付けるためのがいし連側連結金具取付孔４１が設けてある。
【００１９】
上ヨーク部４ｇは、中ヨーク部４ｆの左右方向（幅）の中央位置から上方にほぼＶ字形に延び、かつ、先端が互いに反対方向に水平に延びている。そして、上ヨーク部４ｇの左右両側に送電線を引留める耐張クランプ６に接続された連結金具（以下、送電線側連結金具という。）５を取り付けるための送電線側連結金具取付孔４２が設けてある。
【００２０】
下ヨーク部４ｈは、上ヨーク部４ｇと同様に水平板状に成形されていて、左右両側に上ヨーク部４ｇの両側の送電線側連結金具取付孔４２と同様の送電線側連結金具取付孔４２が設けてある。上ヨーク部４ｇの送電線側連結金具取付孔４２と下ヨーク部４ｈの送電線側連結金具取付孔４２は、図２（ａ）に示されているように、中ヨーク部４ｆの左右方向中間点から等しい距離に設けられており、また、図２（ｃ）に示されているように、共通の垂直面上に設けられている。
【００２１】
中ヨーク部４ｆと下ヨーク部４ｈは、それらの左右方向の中央において、垂直連結部４ｉにより一体に接合されている。そして、この垂直連結部４ｉの肉厚と上ヨーク部４ｇの中ヨーク部４ｆに接合される基部の肉厚は、中ヨーク部４ｆ及び下ヨーク部４ｈの肉厚の一例として約３倍の厚肉とされていて、垂直連結部４ｉと上ヨーク部４ｇの中ヨーク部４ｆに接合される基部が最大の強度を有している。
【００２２】
上記の構成により、ヨーク４Ｎは、全体として倒立天字形に形成されており、中ヨーク部４ｆと、上ヨーク部４ｇと、下ヨーク部４ｈと、垂直連結部４ｉとの間がこの固定ヨーク４Ｎに後記連結金具を介して連結される送電線の線路方向及びその線路方向に対して直角方向に開放された開放構造を有している。
【００２３】
支持される送電線数が４本のライン側固定ヨークには、全ての送電線の張力が送電線側連結金具取付孔４２に結合される送電線側連結金具５を介して加わるが、上ヨーク部４ｇの送電線側連結金具取付孔４２と下ヨーク部４ｈの送電線側連結金具取付孔４２は、中ヨーク部４ｆの左右方向中間点から等しい距離に設けられ、かつ、共通の垂直面上に設けられているので、全送電線からの張力がヨークにバランス良く加わる。従って、それらの張力はヨークの中央、すなわち、垂直連結部４ｉと上ヨーク部４ｇの中ヨーク部４ｆに接合される付け根に集中するが、その付け根と垂直連結部４ｉは、格段の厚肉に形成されて強度を備えているので、その張力に十分に耐えることができる。また、送電線が横風を受けると、ヨークに線路方向を軸とする軸周りの回転力、すなわちねじり力が加わるが、これにも十分に耐えることができる。
【００２４】
図２に示されたライン側固定ヨーク４Ｎには、上記の構成に加えて、図２（ｂ）に良く示されているように、中ヨーク部４ｆを上ヨーク部４ｇ及び下ヨーク部４ｈよりもがいし連側に延出させてあり、その延出された部分に、ホーン取付部４５が一体に設けられている。ホーン取付部４５は、ホーン９を固着するボルトを貫通するための複数個の孔を有する。
【００２５】
さらに、好ましい実施の形態においては、垂直連結部４ｉのがいし連側の面に、ジャンパ装置取付部４６が一体に形成されている。この位置に設けてあるため、ホーン取付作業の邪魔にならない。また、ヨークに一体に成形されているため、ボルトナットなどの固着具を用いる従来品よりもヨークに対する接合強度が飛躍的に大きい。従って、高いジャンパ線支持安定性が得られる。ジャンパ装置取付部４６の形状は特に制限されないが、図示の例では、中央に孔が開けられた突起からなっている。
【００２６】
図２（ａ）に示すように、ライン側固定ヨーク４Ｎは、中ヨーク部４ｆ、上ヨーク部４ｇ、下ヨーク部４ｈ及び垂直連結部４ｉの間が送電線の線路方向及びその線路方向に対して直角方向に開放された開放構造を有するので、ホーン９の端部を直接取り付けるためのホーン取付部４５を一体に設けること、及びそのホーン取付部４５にホーンを取付ける作業を容易に行うことが可能となった。また、ホーン取付方向と干渉しない側面に、すなわち、開放された部分にジャンパ装置取付部４６を設けることが可能になった。中ヨーク部４ｆの送電線側端部をライン側方向（図２（ｂ）において上方向）に拡幅すれば、その拡幅された部分にホーン取付部４５を一体に設けることが一層容易になる。
【００２７】
図１には、ライン側固定ヨーク４Ｎの中ヨーク部４ｆのがいし連側連結金具取付孔４１に２連のがいし連側連結金具１０が結合され、上、下ヨーク部４ｇ，４ｈの送電線側連結金具取付孔４２に４個の連結金具５が結合されている状態が示され、また、ホーン取付部４５にホーン９が直接に結合されている状態が示されている。このホーン９は、図２（ａ）に一部を示すように、ホーン９の一端に接合されている固定板９´とボルトナット１２によりホーン取付部４５に固着されている。
【００２８】
ホーンの固定ヨークに対する取付け態様は、固定ヨークの構成部材の形状とホーン取付部４５の形成位置により、ホーンの端部を固定ヨークの水平面に取り付ける水平取付と、ホーンの端部を固定ヨークの垂直面に取り付ける垂直取付のいずれにも可能である。
【００２９】
図３及び図４に、ホーン９を固定ヨーク４Ｎに対して水平取付と垂直取付を行う場合を例示する。図３はホーン取付部４５が中ヨーク部４ｆに設けられた図２の固定ヨークを用いる水平取付の例を、図４はホーン取付部４５が垂直連結部４ｉに設けられた固定ヨークを用いる垂直取付の例を示す。各図において、（ａ）は固定ヨークのみの正面図、（ｂ）はその固定ヨークにがいし連側連結金具及び送電線側連結金具が連結され、ホーンが取付けられた状態の平面図、（ｃ）は同じく左側面図である。また、各図において、３はがいし連，３０１はがいし連側連結金具、５０１は送電線側連結金具の一部である。
【００３０】
図３は、図１及び図２に示された中ヨーク部４ｆと上ヨーク部４ｇと下ヨーク部４ｈと垂直連結部４ｉとを有する、正面形状がほぼ倒立天字形の固定ヨーク４Ｎの場合と同様に、中ヨーク部４ｆの両側にホーン取付部４５を一体に設け、そのホーン取付部にホーン９を中ヨーク部の下面から延出するように結合したものである。図４は、図３のものと同じ形状の固定ヨークの垂直連結部４ｉに設けたヨーク取付部４５にホーン９を結合したものである。
【００３１】
上述のように、水平取付は、従来のホーン取付と同様であるが、ヨークを開放構造としたことにより、ホーンの３次元曲げ構造に自由度が増し、製作性が向上する。また、垂直取付けにおいては、水平取付と同様にホーン形状に自由度が増すとともに、ヨーク形状にも左右されるが、取付け（固着）のためのボルトの数を半分にすることができ、作業性・製作性・コストの面に利点がある。
【００３２】
さらに、ヨークが開放構造となることにより、ホーン取付けスペースが広がるため、ホーン取付け時の座標位置調整が容易になる。例えば、水平取付けの場合及び垂直取付けの場合、ホーン側の取付け孔を長孔や扇状に配置することにより、ホーン取付け後の座標調整ができる。従って、ホーン設置後に送電線の張力条件によって両ホーン間の間隔調整が必要になった場合は、従来は別の金具を用いて調整をする必要があり、時間がかかったが、本発明によれば、ホーン取付け後の座標調整により施工中のホーン間隔調整が可能になった。
【図面の簡単な説明】
【００３３】
【図１】本発明に係るライン側固定ヨークを用いている耐張がいし装置の一例を示す図であり、（ａ）は平面図、（ｂ）は右側面図。
【図２】図１のライン側固定ヨークの展開図であり、（ａ）は正面図、（ｂ）は平面図、（ｃ）は左側面図。
【図３】ホーンの水平取付の例を示す図であり、（ａ）は固定ヨークのみの正面図、（ｂ）はその固定ヨークのがいし連側及び送電線側に連結金具が連結され、ホーンが取付けられた状態の平面図、（ｃ）は同じく左側面図。
【図４】ホーンの垂直取付の例を示す図であり、（ａ）は固定ヨークのみの正面図、（ｂ）はその固定ヨークのがいし連側及び送電線側に連結金具が連結され、ホーンが取付けられた状態の平面図、（ｃ）は同じく左側面図。
【図５】従来の固定ヨークを用いている耐張がいし装置の一例を示す図。
【図６】従来の半固定ヨークを用いている耐張がいし装置の一例を示す図。
【符号の説明】
【００３４】
ＮＡ    耐張がいし装置
２      アース側ヨーク
３      がいし連
４Ｎ    ライン側固定ヨーク
４ｆ    中ヨーク部
４ｇ    上ヨーク部
４ｈ    下ヨーク部
４ｉ    垂直連結部
４１    がいし連側連結金具取付孔
４２    送電線側連結金具取付孔
４５    ホーン取付部
４６    ジャンパ装置取付部
５      送電線側連結金具
９      ホーン（アークホーン）
１０    がいし連側連結金具
【図１】
2006202776.tif 000003
【図２】
2006202776.tif 000004
【図３】
2006202776.tif 000005
【図４】
2006202776.tif 000006
【図５】
2006202776.tif 000007
【図６】
2006202776.tif 000008